(57)【要約】【課題】低コスト化を図りつつ美観を向上させる上で有利な監視カメラ装置の合成樹脂製ケースを提供することにある。【解決手段】上部ケース３２は、環状に延在する環状部４０と、環状部４０の互いに対向する箇所から互いに対向しつつ起立する一対の起立部４２とを備え、起立部４２は、起立壁４４と屈曲壁４６とを有している。屈曲壁４６は、起立壁４４の縁から起立壁４４の内側に屈曲し縁の全長にわたり帯状に延在している。一対の起立部４２の屈曲壁４６は互いに対向する対向面４８を有している。一対の屈曲壁４６の環状部４０から離れた箇所の対向面４８は、成形時のコア側金型１００の型面に接触した第１の接触面４８Ａと、第１の接触面４８Ａの外側で成形時のキャビティ側金型の型面に接触した第２の接触面４８Ｂとで構成されている。【選択図】図９
2007166462.tif 000002
【特許請求の範囲】
【請求項１】
キャビティ側金型とコア側金型とを合わせ、それら金型により画成されるキャビティに溶融状態の合成樹脂を注入して得られる監視カメラの合成樹脂製ケースであって、
前記ケースは、環状に延在する環状部と、前記環状部の互いに対向する箇所から互いに対向しつつ起立する一対の起立部とを備え、
前記起立部は、外側に凸状の断面形状で前記環状部から起立した起立壁と、前記起立壁の縁から前記起立壁の内側に屈曲し前記縁の全長にわたり帯状に延在する屈曲壁とを有し、
前記一対の起立部の屈曲壁は互いに対向するように設けられ、
前記一対の起立部の屈曲壁は互いに対向する対向面を有し、
前記一対の屈曲壁の前記環状部から離れた箇所の対向面は、前記コア側金型の型面に接触した第１の接触面と、前記第１の接触面の外側で前記キャビティ側金型の型面に接触した第２の接触面とで構成され、
前記一対の屈曲壁の前記環状部寄りの対向面は、前記キャビティ側金型の型面に接触した第２の接触面で構成されている、
ことを特徴とする監視カメラの合成樹脂製ケース。
【請求項２】
前記環状部から離れた前記起立壁および屈曲壁の端部は、前記環状部から離れる方向に凸の円弧状に形成され、
前記端部に位置する対向面は前記環状部から離れる方向に凸の円弧面となっており、
前記円弧面となっている前記対向面の箇所では、前記コア側金型の型面に接触した第１の接触面が、前記円弧面の半径の中心と同じ中心で前記円弧面の外周を除く部分に円弧面状に延在しており、前記キャビティ側金型の型面に接触した第２の接触面が、前記円弧面の半径の中心と同じ中心で前記円弧面の外周に円弧面状に延在しており、前記第１の接触面と前記第２の接触面との境をなすパーティングラインが前記円弧面の半径の中心と同じ中心で前記円弧面の外周に円弧状に延在している、
ことを特徴とする請求項１記載の監視カメラの合成樹脂製ケース。
【請求項３】
前記一対の屈曲壁の前記環状部から離れた箇所の対向面と、前記一対の屈曲壁の前記環状部寄りの対向面との境の対向面箇所では、前記パーティングラインは、前記起立部が前記環状部から起立する方向に直線状に延在していることを特徴とする請求項２記載の監視カメラの合成樹脂製ケース。
【請求項４】
監視カメラはカメラ部を備え、前記カメラ部は前記一対の屈曲壁の前記環状部から離れた箇所の前記対向面の間に配置されることを特徴とする請求項１記載の監視カメラの合成樹脂製ケース。
【請求項５】
カメラ本体と前記カメラ本体を覆うケースとを備え、
前記カメラ本体は、下部に位置する基部と、基部の互いに対向する箇所から突設する２つの脚部と、２つの脚部の上部で上下方向に回転可能に支持されたカメラ部とを備え、
前記ケースは、前記基部を覆う下部ケースと、前記下部ケースの上に配置され前記２つの脚部を覆う上部ケースと、前記カメラ部を覆うカメラ部用ケースとを備える監視カメラの前記上部ケースの構造であって、
前記上部ケースは、キャビティ側金型とコア側金型とを合わせ、それら金型により画成されるキャビティに溶融状態の合成樹脂を注入して得られ、
前記上部ケースは、前記下部ケースの上に配置されて環状に延在する環状部と、前記環状部の互いに対向する箇所から互いに対向しつつ起立し前記脚部を覆う一対の起立部とを備え、
前記起立部は、外側に凸状の断面形状で前記環状部から起立した起立壁と、前記起立壁の縁から前記起立壁の内側に屈曲し前記縁の全長にわたり帯状に延在する屈曲壁とを有し、
前記一対の起立部の屈曲壁は互いに対向するように設けられ、
前記一対の起立部の屈曲壁は互いに対向する対向面を有し、
前記一対の屈曲壁の前記環状部から離れた箇所の対向面は、前記コア側金型の型面に接触した第１の接触面と、前記第１の接触面の外側で前記キャビティ側金型の型面に接触した第２の接触面とで構成され、
前記一対の屈曲壁の前記環状部寄りの対向面は、前記キャビティ側金型の型面に接触した第２の接触面で構成されている、
ことを特徴とする監視カメラの合成樹脂製ケース。
【発明の詳細な説明】
【技術分野】
【０００１】
本発明は監視カメラの合成樹脂製ケースに関する。
【背景技術】
【０００２】
天井などに設置される、いわゆるパンチルトズームカメラと呼ばれる監視カメラが提供されている（特許文献１参照）。
このような監視カメラは、下部に位置する基部と、基部の互いに対向する箇所から突設する２つの脚部と、２つの脚部の上部で上下方向に回転可能に（チルト可能に）支持されたカメラ部とを備えるカメラ本体を有しており、カメラ本体は合成樹脂製のケースで覆われている。
ケースは、基部を覆う下部ケースと、下部ケースの上に配置され２つの脚部を覆う上部ケースと、カメラ部を覆うカメラ部用ケースとを備えている。
上部ケースは、環状に延在する環状部と、環状部の互いに対向する箇所から互いに対向しつつ起立し２つの脚部を収容する一対の起立部とを備えている。
ところで、上部ケースは、２つに分割された半体を別々に金型で型成形し、それら型成形された２つの半体を合わせることで構成されていた。
上部ケースの半体は、キャビティ側金型とコア側金型を合わせ、それら型面で画成されたキャビティ内に溶融状態の合成樹脂を流し込むことで形成されている。
【特許文献１】特開２００５-２０３９０７号公報
【発明の開示】
【発明が解決しようとする課題】
【０００３】
しかしながら、従来は、上部ケースが２つの半体を合わせることで構成されているので、部品コストや組み立てコストの削減を図る上で不利であるばかりでなく、２つの半体の合わせ面が上部ケースの体裁面に位置することから美観を向上する上で不利があった。
本発明は、このような事情に鑑みなされたもので、その目的は、低コスト化を図りつつ美観を向上させる上で有利な監視カメラ装置の合成樹脂製ケースを提供することにある。
【課題を解決するための手段】
【０００４】
上記目的を達成するために本発明は、キャビティ側金型とコア側金型とを合わせ、それら金型により画成されるキャビティに溶融状態の合成樹脂を注入して得られる監視カメラの合成樹脂製ケースであって、前記ケースは、環状に延在する環状部と、前記環状部の互いに対向する箇所から互いに対向しつつ起立する一対の起立部とを備え、前記起立部は、外側に凸状の断面形状で前記環状部から起立した起立壁と、前記起立壁の縁から前記起立壁の内側に屈曲し前記縁の全長にわたり帯状に延在する屈曲壁とを有し、前記一対の起立部の屈曲壁は互いに対向するように設けられ、前記一対の起立部の屈曲壁は互いに対向する対向面を有し、前記一対の屈曲壁の前記環状部から離れた箇所の対向面は、前記コア側金型の型面に接触した第１の接触面と、前記第１の接触面の外側で前記キャビティ側金型の型面に接触した第２の接触面とで構成され、前記一対の屈曲壁の前記環状部寄りの対向面は、前記キャビティ側金型の型面に接触した第２の接触面で構成されていることを特徴とする。
また、本発明は、カメラ本体と前記カメラ本体を覆うケースとを備え、前記カメラ本体は、下部に位置する基部と、基部の互いに対向する箇所から突設する２つの脚部と、２つの脚部の上部で上下方向に回転可能に支持されたカメラ部とを備え、前記ケースは、前記基部を覆う下部ケースと、前記下部ケースの上に配置され前記２つの脚部を覆う上部ケースと、前記カメラ部を覆うカメラ部用ケースとを備える監視カメラの前記上部ケースの構造であって、前記上部ケースは、キャビティ側金型とコア側金型とを合わせ、それら金型により画成されるキャビティに溶融状態の合成樹脂を注入して得られ、前記上部ケースは、前記下部ケースの上に配置されて環状に延在する環状部と、前記環状部の互いに対向する箇所から互いに対向しつつ起立し前記脚部を覆う一対の起立部とを備え、前記起立部は、外側に凸状の断面形状で前記環状部から起立した起立壁と、前記起立壁の縁から前記起立壁の内側に屈曲し前記縁の全長にわたり帯状に延在する屈曲壁とを有し、前記一対の起立部の屈曲壁は互いに対向するように設けられ、前記一対の起立部の屈曲壁は互いに対向する対向面を有し、前記一対の屈曲壁の前記環状部から離れた箇所の対向面は、前記コア側金型の型面に接触した第１の接触面と、前記第１の接触面の外側で前記キャビティ側金型の型面に接触した第２の接触面とで構成され、前記一対の屈曲壁の前記環状部寄りの対向面は、前記キャビティ側金型の型面に接触した第２の接触面で構成されていることを特徴とする。
【発明の効果】
【０００５】
本発明によれば、環状部から離れた側の対向面の箇所に、第１の接触面とその外側に第２の接触面とを混在させるようにしたので、ケース（上部ケース）の外面に、パーティングラインを存在させずに、ケース（上部ケース）を型成形で得ることができる。
したがって、従来のように合わせ面がケース（上部ケース）の体裁面に位置することがなく、ケース（上部ケース）を型により一体成形でき、ケース（上部ケース）の美観を向上する上で有利となる。
また、従来と異なってケース（上部ケース）を１つの部品で形成できるので、部品点数の削減、組立工数の削減を図り、コストダウンを図る上で有利となる。
【発明を実施するための最良の形態】
【０００６】
以下、本発明の実施の形態を図面に基づいて詳細に説明する。
図１は監視カメラ１２の斜視図、図２は監視カメラ１２の側面図、図３は監視カメラ１２の背面図である。
図１乃至図３に示すように、監視カメラ１２は、カメラ本体１８と、カメラ本体１８の底部を除く箇所を覆うケース２０とを備えている。
カメラ本体１８は、下部に位置する基部２４と、基部２４の互いに対向する箇所から突設する２つの脚部２６と、それら２つの脚部２６の上端で回転可能に支持されたカメラ部２８（図２参照）とを含んで構成されている。
２つの脚部２６は、基部２４を通る第１の仮想軸Ｌ１の回りに回転可能に支持され、カメラ部２８は第１の仮想軸Ｌ１と直交する平面上を延在する第２の仮想軸Ｌ２の回りに回転可能に支持され、２つの脚部２６は基部２４に配設された不図示のモータにより回転され、カメラ部２８は２つの脚部２６のうちの一方の脚部２６に配設された不図示のモータにより回転される。
監視カメラ１２は上下を逆にして天井１４に設置され、したがって、第１の仮想軸Ｌ１は鉛直方向に延在し、第２の仮想軸Ｌ２は水平方向に延在する。
基部２４には、カメラ部２８の撮像制御や第１の仮想軸Ｌ１回りに２つの脚部２６を回転させるモータの制御、第２の仮想軸Ｌ２回りにカメラ部２８を回転させるモータの制御、カメラ部２８の撮影光学系の撮影倍率を変化させるズームモータの制御、監視カメラ１２の外部に設けられたホスト装置との間での通信制御などを行なう制御部が設けられている。
制御部は、ホスト装置から送信されるコマンドに基づいての撮像制御、モータの制御などを行なう。
【０００７】
ケース２０は合成樹脂製で、ケース２０は、下部に位置する下部ケース２９と、下部ケース２９の上に位置する上部ケース３２と、カメラ部２８を収容するカメラ部収容ケース３４とを備えている。
下部ケース２９は、基部２４を収容する制御部収容ケース３０と、制御部収容ケース３０から突出しケーブルを収容するケーブル収容ケース３６とを含んでいる。
本実施の形態では、上部ケース３２が特許請求の範囲のケースに相当している。
【０００８】
図４は上部ケース３２の斜視図、図５は上部ケース３２の正面図、図６は図５のＡ矢視図、図７は図５のＢ矢視図、図８は図５のＣ矢視図、図９は図５のＤＤ線断面図、図１０は図５のＥＥ線断面図である。図１１は上部ケース３２とこの上部ケース３２を成形するコア側金型１００の斜視図である。
図４乃至図１０に示すように、上部ケース３２は、環状に延在する環状部４０と、環状部４０の互いに対向する箇所から互いに対向しつつ起立する一対の起立部４２とを備え、環状部４０の下部は、円錐面からなる環状の壁部で形成されている。
起立部４２は、起立壁４４と屈曲壁４６とを有している。
起立壁４４は、外側に凸状の断面形状で環状部４０から起立している。
図４に示すように、起立壁４４の内面の複数箇所には、補強用のリブ４４０２が突設され、このリブ４４０２は環状部４０から起立部４２が起立する方向に延在している。
屈曲壁４６は、起立壁４４の縁から起立壁４４の内側に屈曲し縁の全長にわたり帯状に延在している。
環状部４０から離れた起立壁４４および屈曲壁４６の端部は、環状部４０から離れる方向に凸の円弧状に形成されている。
このように一対の起立部４２を起立壁４４と屈曲壁４６とで構成することで、環状部４０と一対の起立部４２とからなる上部ケース３２を型により一体成形できるようにしたものである。
【０００９】
図４、図５、図７、図８に示すように、一対の起立部４２の屈曲壁４６は互いに対向するように設けられている。
一対の起立部４２の屈曲壁４６は互いに対向する対向面４８を有している。
図９、図１１に示すように、一対の屈曲壁４６の環状部４０から離れた箇所の対向面４８は、成形時のコア側金型１００の型面に接触した第１の接触面４８Ａと、第１の接触面４８Ａの外側で成形時のキャビティ側金型の型面に接触した第２の接触面４８Ｂとで構成されている。
本実施の形態では、環状部４０から離れた屈曲壁４６の端部に位置する対向面４８は、図９に示すように、環状部４０から離れる方向に凸の円弧面４８０２となっている。
円弧面４８０２となっている対向面４８の箇所では、成形時のコア側金型１００の型面に接触した第１の接触面４８Ａが、円弧面４８０２の半径の中心と同じ中心で円弧面４８０２の外周を除く部分に円弧状に延在した円弧面４８０２Ａとして形成されている。
また、成形時のキャビティ側金型の型面に接触した第２の接触面４８Ｂが、円弧面４８０２の半径の中心と同じ中心で円弧面４８０２の外周に円弧状に延在した円弧面４８０２Ｂとして形成されている。
そして、第１の接触面４８Ａと第２の接触面４８Ｂとの境をなす（円弧面４８０２Ａと円弧面４８０２Ｂの境をなす）パーティングライン５０が円弧面４８０２の半径の中心と同じ中心で円弧面４８０２の外周に円弧状に延在する円弧部５０Ａとなっている。
パーティングライン５０は、キャビティ側金型とコア側金型との合わせ目に対応する部分に線状の形状で形成されるものである。
【００１０】
一対の屈曲壁４６の環状部４０から離れた箇所の対向面４８と、一対の屈曲壁４６の環状部４０側の対向面４８との境の対向面４８箇所では、パーティングライン５０は、起立部４２が環状部４０から起立する方向に直線状に延在する直線部５０Ｂとなっている。
図９において矢印Ａは、キャビティ側金型とコア側金型とを合わせ、あるいは、脱型する方向（抜く方向）であり、直線部５０Ｂは、このキャビティ側金型とコア側金型とを合わせ、あるいは、脱型する方向（抜く方向）と平行して延在している。
そして、一対の屈曲壁４６の環状部４０側の対向面４８は、成形時のキャビティ側金型の型面に接触した第２の接触面４８Ｂのみで構成されている。
なお、脱型する関係上、上部ケース３２は、脱型する方向（抜く方向）に僅かながら抜き勾配がつけられている。
【００１１】
本実施の形態によれば、環状部４０から離れた側の対向面４８の箇所に、第１の接触面４８Ａとその外側に第２の接触面４８Ｂとを混在させるようにしたので、上部ケース３２の外面にパーティングライン５０を存在させずに、上部ケース３２を型成形で得ることができる。
したがって、従来のように、２つの半体の合わせ面が上部ケースの体裁面に位置する不具合を解消でき、上部ケース３２を単一の部品として型成形で得ることができ、上部ケース３２の美観を向上させ、監視カメラ１２の美観を高める上で有利となる。
また、環状部４０から離れた側の対向面４８の箇所にはカメラ部２８（カメラ部収容ケース３４）が配置され、第１の接触面４８Ａとその外側の第２の接触面４８Ｂとによるパーティングライン５０はカメラ部収容ケース３４により隠されるため、したがって、上部ケース３２の美観を向上させ、監視カメラ１２の美観を高める上で有利となる。
また、従来と異なって上部ケース３２を１つの部品で形成できるので、部品点数の削減、組立工数の削減を図り、コストダウンを図る上で有利となる。
【００１２】
特に、図１２（Ａ）に示すように、環状部４０から離れた箇所の対向面４８を第２の接触面４８Ｂのみで形成すると（キャビティ側金型のみで形成すると）、脱型時の抜き勾配から一対の屈曲壁４６がその先端が互いに近づく方向に傾斜して形成され、対向面４８とカメラ部収容ケース３４との間に隙間Ｓが生じ、監視カメラ１２の美観上不利となるが、本実施の形態によれば、図１２（Ｂ）に示すように、環状部４０から離れた箇所の対向面４８に、第１の接触面４８Ａとその外側に第２の接触面４８Ｂとを混在させるようにしたので、第２の接触面４８Ｂを小さい幅（小さい長さ）で延在させ、その内側に第２の接触面４８Ｂとは向きの異なる第１の接触面４８Ａを位置させることができるので、カメラ部収容ケース３４との間の隙間Ｓを削減でき、監視カメラ１２の外観上有利となる。
【００１３】
なお、図１に示すように、起立部４２の上部にカメラ部２８（カメラ部収容ケース３４）が配置されることでカメラ部収容ケース３４により、互いに向かい合う起立部４２の内面は閉塞され、カメラ部収容ケース３４の下方で互いに向かい合う起立部４２の内面は外方に露出することになるが、この外方に露出する起立部４２の内面を、上部ケース３２とは別体の板状のケース６０で覆うなど任意である。
また、環状部４０の上部で互いに向かい合う起立部４２の基部間の空間を、上部ケース３２とは別体のケース６２で覆うなど任意である。
【図面の簡単な説明】
【００１４】
【図１】監視カメラ１２の斜視図である。
【図２】監視カメラ１２の側面図である。
【図３】監視カメラ１２の背面図である。
【図４】上部ケース３２の斜視図である。
【図５】上部ケース３２の正面図である。
【図６】図５のＡ矢視図である。
【図７】図５のＢ矢視図である。
【図８】図５のＣ矢視図である。
【図９】図５のＤＤ線断面図である。
【図１０】図５のＥＥ線断面図である。
【図１１】上部ケース３２とこの上部ケース３２を成形するコア側金型１００の斜視図である。
【図１２】（Ａ）対向面４８を第２の接触面４８Ｂのみで形成する場合の説明図、（Ｂ）対向面４８に第１の接触面４８Ａと第２の接触面４８Ｂとで形成する場合の説明図である。
【符号の説明】
【００１５】
１２……監視カメラ、３２……上部ケース、４０……環状部、４２……起立部、４４……起立壁、４６……屈曲壁、４８……対向面、４８Ａ……第１の接触面、４８Ｂ……第２の接触面。
【図１】
2007166462.tif 000003
【図２】
2007166462.tif 000004
【図３】
2007166462.tif 000005
【図４】
2007166462.tif 000006
【図５】
2007166462.tif 000007
【図６】
2007166462.tif 000008
【図７】
2007166462.tif 000009
【図８】
2007166462.tif 000010
【図９】
2007166462.tif 000011
【図１０】
2007166462.tif 000012
【図１１】
2007166462.tif 000013
【図１２】
2007166462.tif 000014